(57)【要約】【課題】小型化に寄与しつつ、制約された条件下でも良好な操作性を保つ。【解決手段】主表示部７が外側を向いた状態で折り畳たまれ、主操作部の操作面が上側筐体６によって覆われた閉状態とされると、制御部は、位置検出部から受け取った開閉検知信号及び回動角検知信号に基づいて、上側ユニット２と下側ユニットとの間の相互的位置関係を認識し、主表示部７に、ユーザによって選択された操作項目がユーザによって選択された順序で一次元的に配列された補助操作メニュー画面を表示させる。サイド上方操作キー２１ａ及びサイド下方操作キー２１ｂの操作によって、所望の操作項目にカーソルが合わされ、さらに、サイド決定キー２１ｃが押下されると、制御部は、対応する設定メニュー画面を、主表示部７に表示させる。【選択図】図１
2005260284.tif 000002
【特許請求の範囲】
【請求項１】
第１の筐体と、第２の筐体と、前記第１の筐体及び前記第２の筐体を互いに変位可能なように結合する可動結合手段と、前記第１の筐体に実装された第１の操作手段と、前記第２の筐体に実装された表示手段と、第２の操作手段とを備えてなる携帯端末であって、
前記第１の操作手段の少なくとも一部が露出状態とされたときに、前記第１の操作手段に対応した第１の操作メニューを、前記表示手段に表示させ、前記第１の操作手段の操作面が前記第２の筐体によって覆われて、前記第１の操作手段の少なくとも一部が非露出状態とされたときに、前記第２の操作手段に対応した第２の操作メニューを、前記表示手段に切り換えて表示させる表示制御手段と、
前記第１の操作手段を構成する操作キーの配置状態又は／及び機能に応じて、操作項目が配列された第１の操作メニュー、及び前記第２の操作手段を構成する操作キーの配置状態又は／及び機能に応じて、操作項目が配列された第２の操作メニューを記憶するメニュー情報記憶手段とを
備えてなることを特徴とする携帯端末。
【請求項２】
前記第１の操作手段は、前記第１の操作メニューを構成する操作項目を選択するためのカーソルを移動させる第１の移動方向指示キーを有し、前記第２の操作手段は、前記第２の操作メニューを構成する操作項目を選択するためのカーソルを移動させる第２の移動方向指示キーを有し、
前記表示制御手段は、少なくとも前記第１の移動方向指示キーが露出状態のときに、前記第１の操作メニューを前記表示手段に表示させ、少なくとも前記第１の移動方向指示キーが非露出状態のときに、前記第２の操作メニューを前記表示手段に表示させる
ことを特徴とする請求項１記載の携帯端末。
【請求項３】
前記表示制御手段は、前記表示手段の表示画面が視認可能とされ、かつ、少なくとも前記第１の移動方向指示キーが露出状態のときに、前記第１の操作メニューを前記表示手段に表示させ、少なくとも前記第１の移動方向指示キーが非露出状態のときに、前記第２の操作メニューを前記表示手段に表示させることを特徴とする請求項２記載の携帯端末。
【請求項４】
前記第２の操作手段は、前記第１の筐体又は前記第２の筐体の側面部に配設され、前記第２の移動方向指示キーは、前記カーソルを表示画面内で上下方向又は左右方向の２方向に沿って移動させるために設けられたことを特徴とする請求項２又は３記載の携帯端末。
【請求項５】
前記第２の操作メニューを構成する操作項目は一次元的に配列されていることを特徴とする請求項４記載の携帯端末。
【請求項６】
前記第１の移動方向指示キーは、前記カーソルを表示画面内で上下左右の４方向に沿って移動させるために設けられたことを特徴とする請求項２乃至５のいずれか１に記載の携帯端末。
【請求項７】
前記第１の操作メニューを構成する操作項目は二次元的に配列されていることを特徴とする請求項６記載の携帯端末。
【請求項８】
前記第２の操作メニューは、前記第１の操作メニューのなかから抽出された操作項目からなることを特徴とする請求項１乃至７のいずれか１に記載の携帯端末。
【請求項９】
前記第１の操作メニューは、階層構造化されて前記メニュー情報記憶手段に記憶され、前記第２の操作メニューは、前記第１の操作メニューのうち最下層のメニュー情報のなかから抽出されたメニュー情報であることを特徴とする請求項１乃至８のいずれか１に記載の携帯端末。
【請求項１０】
前記第２の操作メニューの操作項目及び前記操作項目の表示位置は、ユーザ毎にカスタマイズされて選択されることを特徴とする請求項８又は９記載の携帯端末。
【請求項１１】
ユーザの前記第１の操作手段又は前記第２の操作手段を用いた選択操作によって、前記操作項目及び前記表示位置が選択されることを特徴とする請求項１０記載の携帯端末。
【請求項１２】
前記操作項目及び前記表示位置は、ユーザの前記第１の操作手段又は／及び前記第２の操作手段を用いた操作履歴情報に基づいて、決定又は変更されることを特徴とする請求項１０記載の携帯端末。
【請求項１３】
前記第２の操作メニューのカーソルの最初の表示位置は、ユーザ毎に個別に選択されることを特徴とする請求項２乃至１２のいずれか１に記載の携帯端末。
【請求項１４】
前記可動結合手段は、前記第１の筐体と前記第２の筐体とのうち一方の筐体が他方の筐体に対して、第１の回動軸の周りに回動して開閉自在となるように、かつ、一方の筐体が前記第１の回動軸に直交する第２の回動軸の周りに回動自在となるように、前記第１の筐体と前記第２の筐体とを結合することを特徴とする請求項１乃至１３のいずれか１に記載の携帯端末。
【請求項１５】
前記表示制御手段は、前記第１の操作手段又は前記第２の操作手段を構成するメニュー表示要求のための所定のキーが押下されると、前記第１の操作メニュー又は前記第２の操作メニューを前記表示手段に表示させることを特徴とする請求項１乃至１４のいずれか１に記載の携帯端末。
【請求項１６】
前記操作項目はアイコンによって表示されることを特徴とする請求項１乃至１５のいずれか１に記載の携帯端末。
【請求項１７】
前記表示制御手段は、前記第１の操作手段の少なくとも一部が非露出状態のときに、複数の前記第２の操作メニューのなかから、所定の第２の操作メニューを選択して、前記表示手段に表示させることを特徴とする請求項１乃至１６のいずれか１に記載の携帯端末。
【請求項１８】
前記第２の操作メニューの前記操作項目を追加又は削除するための編集手段を備えたことを特徴とする請求項１乃至１７のいずれか１に記載の携帯端末。
【請求項１９】
第１の操作手段が実装された第１の筐体と、表示手段が実装された第２の筐体とが可動結合手段によって互いに変位可能なように結合された携帯端末における操作メニュー切換方法であって、
前記第１の操作手段の少なくとも一部が露出状態とされたときに、前記第１の操作手段に対応した第１の操作メニューを、前記表示手段に表示させ、前記第１の操作手段の操作面が前記第２の筐体によって覆われて、前記第１の操作手段の少なくとも一部が非露出状態とされたときに、第２の操作手段に対応した第２の操作メニューを、前記表示手段に切り換えて表示させる表示制御ステップと、
前記第１の操作手段を構成する操作キーの配置状態又は／及び機能に応じて、操作項目が配列された第１の操作メニュー、及び前記第２の操作手段を構成する操作キーの配置状態又は／及び機能に応じて、操作項目が配列された第２の操作メニューを記憶するメニュー情報記憶ステップとを
備えてなることを特徴とする携帯端末における操作メニュー切換方法。
【請求項２０】
前記第１の操作手段は、前記第１の操作メニューを構成する操作項目を選択するためのカーソルを移動させる第１の移動方向指示キーを有し、前記第２の操作手段は、前記第２の操作メニューを構成する操作項目を選択するためのカーソルを移動させる第２の移動方向指示キーを有し、
前記表示制御ステップでは、少なくとも前記第１の移動方向指示キーが露出状態のときに、前記第１の操作メニューを前記表示手段に表示させ、少なくとも前記第１の移動方向指示キーが非露出状態のときに、前記第２の操作メニューを前記表示手段に表示させる
ことを特徴とする請求項１９記載の携帯端末における操作メニュー切換方法。
【請求項２１】
前記表示制御ステップでは、前記表示手段の表示画面が視認可能とされ、かつ、少なくとも前記第１の移動方向指示キーが露出状態のときに、前記第１の操作メニューを前記表示手段に表示させ、少なくとも前記第１の移動方向指示キーが非露出状態のときに、前記第２の操作メニューを前記表示手段に表示させることを特徴とする請求項２０記載の携帯端末における操作メニュー切換方法。
【請求項２２】
前記第２の操作手段は、前記第１の筐体又は前記第２の筐体の側面部に配設され、前記第２の移動方向指示キーは、前記カーソルを表示画面内で上下方向又は左右方向の２方向に沿って移動させるために設けられたことを特徴とする請求項２０又は２１記載の携帯端末における操作メニュー切換方法。
【請求項２３】
前記第２の操作メニューを構成する操作項目は一次元的に配列されていることを特徴とする請求項２２記載の携帯端末における操作メニュー切換方法。
【請求項２４】
前記第１の移動方向指示キーは、前記カーソルを表示画面内で上下左右の４方向に沿って移動させるために設けられたことを特徴とする請求項２０乃至２３のいずれか１に記載の携帯端末における操作メニュー切換方法。
【請求項２５】
前記第１の操作メニューを構成する操作項目は二次元的に配列されていることを特徴とする請求項２４記載の携帯端末における操作メニュー切換方法。
【請求項２６】
前記第２の操作メニューは、前記第１の操作メニューのなかから抽出された操作項目からなることを特徴とする請求項１９乃至２５のいずれか１に記載の携帯端末における操作メニュー切換方法。
【請求項２７】
前記第１の操作メニューは、階層構造化されて記憶され、前記第２の操作メニューは、前記第１の操作メニューのうち最下層のメニュー情報のなかから抽出されたメニュー情報であることを特徴とする請求項１９乃至２６のいずれか１に記載の携帯端末における操作メニュー切換方法。
【請求項２８】
前記第２の操作メニューの操作項目及び前記操作項目の表示位置は、ユーザ毎にカスタマイズされて選択されることを特徴とする請求項２６又は２７記載の携帯端末における操作メニュー切換方法。
【請求項２９】
ユーザの前記第１の操作手段又は前記第２の操作手段を用いた選択操作によって、前記操作項目及び前記表示位置が選択されることを特徴とする請求項２８記載の携帯端末における操作メニュー切換方法。
【請求項３０】
前記操作項目及び前記表示位置は、ユーザの前記第１の操作手段又は／及び前記第２の操作手段を用いた操作履歴情報に基づいて、決定又は変更されることを特徴とする請求項２８記載の携帯端末における操作メニュー切換方法。
【請求項３１】
前記第２の操作メニューのカーソルの最初の表示位置は、ユーザ毎に個別に選択されることを特徴とする請求項２０乃至３０のいずれか１に記載の携帯端末における操作メニュー切換方法。
【請求項３２】
前記可動結合手段は、前記第１の筐体と前記第２の筐体とのうち一方の筐体が他方の筐体に対して、第１の回動軸の周りに回動して開閉自在となるように、かつ、一方の筐体が前記第１の回動軸に直交する第２の回動軸の周りに回動自在となるように、前記第１の筐体と前記第２の筐体とを結合することを特徴とする請求項１９乃至３１のいずれか１に記載の携帯端末における操作メニュー切換方法。
【請求項３３】
前記表示制御ステップでは、前記第１の操作手段又は前記第２の操作手段を構成するメニュー表示要求のための所定のキーが押下されると、前記第１の操作メニュー又は前記第２の操作メニューを前記表示手段に表示させることを特徴とする請求項１９乃至３２のいずれか１に記載の携帯端末における操作メニュー切換方法。
【請求項３４】
前記操作項目はアイコンによって表示されることを特徴とする請求項１９乃至３３のいずれか１に記載の携帯端末における操作メニュー切換方法。
【請求項３５】
前記表示制御ステップでは、前記第１の操作手段の少なくとも一部が非露出状態のときに、複数の前記第２の操作メニューのなかから、所定の第２の操作メニューを選択して、前記表示手段に表示させることを特徴とする請求項１９乃至３４のいずれか１に記載の携帯端末における操作メニュー切換方法。
【請求項３６】
前記第２の操作メニューの前記操作項目を追加又は削除するための編集手段を備えたことを特徴とする請求項１９乃至３５のいずれか１に記載の携帯端末における操作メニュー切換方法。
【請求項３７】
コンピュータに請求項１９乃至３６のうちいずれか１に記載の携帯端末における操作メニュー切換方法を実行させることを特徴とする操作メニュー切換制御プログラム。
【発明の詳細な説明】
【技術分野】
【０００１】
この発明は、携帯電話機等の携帯端末、該携帯端末における操作メニュー切換方法及び操作メニュー切換制御プログラムに係り、例えば、上側ユニットと下側ユニットとが互いに開閉自在で、かつ、開閉を行うための回動軸に直交する回動軸の周りにも一方のユニットが他方のユニットに対して回動自在に結合された折畳み式の携帯端末、該携帯端末における操作メニュー切換方法及び操作メニュー切換制御プログラムに関する。
【背景技術】
【０００２】
近年、移動中や外出先でも使用可能であるという高い利便性によって、携帯電話機等の携帯端末が広く普及してきている。特に、開閉自在の折畳み型の携帯端末は、コンパクトに収納できることから、多くのユーザから支持を受けている。
さらに、２軸ヒンジ部を用いて、開閉を行うための回動軸に直交する回動軸の周りにも一方の筐体が他方の筐体に対して回動自在となるように構成した折畳み型の携帯端末も提案されている。
しかしながら、このような携帯端末は、操作を行う際には、操作部を開放して、表示画面を見る必要があり、頻繁に開閉することとなり、操作が煩わしかった。
【０００３】
このため、表示画面を外向きにして閉じた状態で、操作メニューの操作等最低限度の操作ができるように、表示部が実装された上側筐体の表示画面の上方に操作キーを配置する技術（例えば、特許文献１、特許文献２、特許文献３参照。）や、表示画面の下方に操作キーを配置する技術（例えば、特許文献４参照。）が提案されている。また、操作部が実装された下側筐体の下部の上側筐体と重ならない露出領域に操作キーを配置する技術（例えば、特許文献５参照。）も提案されている。
しかしながら、いずれの技術にも、上側筐体に、十分な表示面積が確保された表示画面を配置した上に、操作キーも配置しようとすると、小型化の妨げとなるという問題があった。
このため、下側筐体の側面部に配設されたサイドキーを用いて、上側筐体の表示部に表示された操作メニューを操作する試みがなされている。
【特許文献１】特開２００１−２５１４０６号公報
【特許文献２】特開２００３−１７４４９５号公報
【特許文献３】特開２００３−３０４３１６号公報
【特許文献４】特開２００２−１１８６３３号公報
【特許文献５】特開平１１−２１５２１８号公報
【発明の開示】
【発明が解決しようとする課題】
【０００４】
解決しようとする問題点は、サイドキーを用いて、操作メニュー上のカーソルを移動させる場合には、上下左右の４方向ではなく、カーソルを上下方向に沿ってしか移動できないので、迅速にかつ円滑に、操作項目を選択することができず、操作性が悪化するという点である。
【０００５】
この発明は、上述の事情に鑑みてなされたもので、小型化に寄与しつつ、制約された条件下でも良好な操作性を保つことができる携帯端末、該携帯端末における操作メニュー切換方法及び操作メニュー切換制御プログラムを提供することを目的としている。
【課題を解決するための手段】
【０００６】
上記課題を解決するために、請求項１記載の発明は、第１の筐体と、第２の筐体と、上記第１の筐体及び上記第２の筐体を互いに変位可能なように結合する可動結合手段と、上記第１の筐体に実装された第１の操作手段と、上記第２の筐体に実装された表示手段と、第２の操作手段とを備えてなる携帯端末に係り、上記第１の操作手段の少なくとも一部が露出状態とされたときに、上記第１の操作手段に対応した第１の操作メニューを、上記表示手段に表示させ、上記第１の操作手段の操作面が上記第２の筐体によって覆われて、上記第１の操作手段の少なくとも一部が非露出状態とされたときに、上記第２の操作手段に対応した第２の操作メニューを、上記表示手段に切り換えて表示させる表示制御手段と、上記第１の操作手段を構成する操作キーの配置状態又は／及び機能に応じて、操作項目が配列された第１の操作メニュー、及び上記第２の操作手段を構成する操作キーの配置状態又は／及び機能に応じて、操作項目が配列された第２の操作メニューを記憶するメニュー情報記憶手段とを備えてなることを特徴としている。
【０００７】
また、請求項２記載の発明は、請求項１記載の携帯端末に係り、上記第１の操作手段は、上記第１の操作メニューを構成する操作項目を選択するためのカーソルを移動させる第１の移動方向指示キーを有し、上記第２の操作手段は、上記第２の操作メニューを構成する操作項目を選択するためのカーソルを移動させる第２の移動方向指示キーを有し、上記表示制御手段は、少なくとも上記第１の移動方向指示キーが露出状態のときに、上記第１の操作メニューを上記表示手段に表示させ、少なくとも上記第１の移動方向指示キーが非露出状態のときに、上記第２の操作メニューを上記表示手段に表示させることを特徴としている。
【０００８】
また、請求項３記載の発明は、請求項２記載の携帯端末に係り、上記表示制御手段は、上記表示手段の表示画面が視認可能とされ、かつ、少なくとも上記第１の移動方向指示キーが露出状態のときに、上記第１の操作メニューを上記表示手段に表示させ、少なくとも上記第１の移動方向指示キーが非露出状態のときに、上記第２の操作メニューを上記表示手段に表示させることを特徴としている。
【０００９】
また、請求項４記載の発明は、請求項２又は３記載の携帯端末に係り、上記第２の操作手段は、上記第１の筐体又は上記第２の筐体の側面部に配設され、上記第２の移動方向指示キーは、上記カーソルを表示画面内で上下方向又は左右方向の２方向に沿って移動させるために設けられたことを特徴としている。
【００１０】
また、請求項５記載の発明は、請求項４記載の携帯端末に係り、上記第２の操作メニューを構成する操作項目は一次元的に配列されていることを特徴とする。
【００１１】
また、請求項６記載の発明は、請求項２乃至５のいずれか１に記載の携帯端末に係り、上記第１の移動方向指示キーは、上記カーソルを表示画面内で上下左右の４方向に沿って移動させるために設けられたことを特徴としている。
【００１２】
また、請求項７記載の発明は、請求項６記載の携帯端末に係り、上記第１の操作メニューを構成する操作項目は二次元的に配列されていることを特徴としている。
【００１３】
また、請求項８記載の発明は、請求項１乃至７のいずれか１に記載の携帯端末に係り、上記第２の操作メニューは、上記第１の操作メニューのなかから抽出された操作項目からなることを特徴としている。
【００１４】
また、請求項９記載の発明は、請求項１乃至８のいずれか１に記載の携帯端末に係り、上記第１の操作メニューは、階層構造化されて上記メニュー情報記憶手段に記憶され、上記第２の操作メニューは、上記第１の操作メニューのうち最下層のメニュー情報のなかから抽出されたメニュー情報であることを特徴としている。
【００１５】
また、請求項１０記載の発明は、請求項８又は９記載の携帯端末に係り、上記第２の操作メニューの操作項目及び上記操作項目の表示位置は、ユーザ毎にカスタマイズされて選択されることを特徴としている。
【００１６】
また、請求項１１記載の発明は、請求項１０記載の携帯端末に係り、ユーザの上記第１の操作手段又は上記第２の操作手段を用いた選択操作によって、上記操作項目及び上記表示位置が選択されることを特徴としている。
【００１７】
また、請求項１２記載の発明は、請求項１０記載の携帯端末に係り、上記操作項目及び上記表示位置は、ユーザの上記第１の操作手段又は／及び上記第２の操作手段を用いた操作履歴情報に基づいて、決定又は変更されることを特徴としている。
【００１８】
また、請求項１３記載の発明は、請求項２乃至１２のいずれか１に記載の携帯端末に係り、上記第２の操作メニューのカーソルの最初の表示位置は、ユーザ毎に個別に選択されることを特徴としている。
【００１９】
また、請求項１４記載の発明は、請求項１乃至１３のいずれか１に記載の携帯端末に係り、上記可動結合手段は、上記第１の筐体と上記第２の筐体とのうち一方の筐体が他方の筐体に対して、第１の回動軸の周りに回動して開閉自在となるように、かつ、一方の筐体が上記第１の回動軸に直交する第２の回動軸の周りに回動自在となるように、上記第１の筐体と上記第２の筐体とを結合することを特徴としている。
【００２０】
また、請求項１５記載の発明は、請求項１乃至１４のいずれか１に記載の携帯端末に係り、上記表示制御手段は、上記第１の操作手段又は上記第２の操作手段を構成するメニュー表示要求のための所定のキーが押下されると、上記第１の操作メニュー又は上記第２の操作メニューを上記表示手段に表示させることを特徴としている。
【００２１】
また、請求項１６記載の発明は、請求項１乃至１５のいずれか１に記載の携帯端末に係り、上記操作項目はアイコンによって表示されることを特徴としている。
【００２２】
また、請求項１７記載の発明は、請求項１乃至１６のいずれか１に記載の携帯端末に係り、上記表示制御手段は、上記第１の操作手段の少なくとも一部が非露出状態のときに、複数の上記第２の操作メニューのなかから、所定の第２の操作メニューを選択して、上記表示手段に表示させることを特徴とするしている。
【００２３】
また、請求項１８記載の発明は、請求項１乃至１７のいずれか１に記載の携帯端末に係り、上記第２の操作メニューの上記操作項目を追加又は削除するための編集手段を備えたことを特徴としている。
【００２４】
また、請求項１９記載の発明は、第１の操作手段が実装された第１の筐体と、表示手段が実装された第２の筐体とが可動結合手段によって互いに変位可能なように結合された携帯端末における操作メニュー切換方法に係り、上記第１の操作手段の少なくとも一部が露出状態とされたときに、上記第１の操作手段に対応した第１の操作メニューを、上記表示手段に表示させ、上記第１の操作手段の操作面が上記第２の筐体によって覆われて、上記第１の操作手段の少なくとも一部が非露出状態とされたときに、第２の操作手段に対応した第２の操作メニューを、上記表示手段に切り換えて表示させる表示制御ステップと、上記第１の操作手段を構成する操作キーの配置状態又は／及び機能に応じて、操作項目が配列された第１の操作メニュー、及び上記第２の操作手段を構成する操作キーの配置状態又は／及び機能に応じて、操作項目が配列された第２の操作メニューを記憶するメニュー情報記憶ステップとを備えてなることを特徴としている。
【００２５】
また、請求項２０記載の発明は、請求項１９記載の携帯端末における操作メニュー切換方法に係り、上記第１の操作手段は、上記第１の操作メニューを構成する操作項目を選択するためのカーソルを移動させる第１の移動方向指示キーを有し、上記第２の操作手段は、上記第２の操作メニューを構成する操作項目を選択するためのカーソルを移動させる第２の移動方向指示キーを有し、上記表示制御ステップでは、少なくとも上記第１の移動方向指示キーが露出状態のときに、上記第１の操作メニューを上記表示手段に表示させ、少なくとも上記第１の移動方向指示キーが非露出状態のときに、上記第２の操作メニューを上記表示手段に表示させることを特徴としている。
【００２６】
また、請求項２１記載の発明は、請求項２０記載の携帯端末における操作メニュー切換方法に係り、上記表示制御ステップでは、上記表示手段の表示画面が視認可能とされ、かつ、少なくとも上記第１の移動方向指示キーが露出状態のときに、上記第１の操作メニューを上記表示手段に表示させ、少なくとも上記第１の移動方向指示キーが非露出状態のときに、上記第２の操作メニューを上記表示手段に表示させることを特徴としている。
【００２７】
また、請求項２２記載の発明は、請求項２０又は２１記載の携帯端末における操作メニュー切換方法に係り、上記第２の操作手段は、上記第１の筐体又は上記第２の筐体の側面部に配設され、上記第２の移動方向指示キーは、上記カーソルを表示画面内で上下方向又は左右方向の２方向に沿って移動させるために設けられたことを特徴としている。
【００２８】
また、請求項２３記載の発明は、請求項２２記載の携帯端末における操作メニュー切換方法に係り、上記第２の操作メニューを構成する操作項目は一次元的に配列されていることを特徴としている。
【００２９】
また、請求項２４記載の発明は、請求項２０乃至２３のいずれか１に記載の携帯端末における操作メニュー切換方法に係り、上記第１の移動方向指示キーは、上記カーソルを表示画面内で上下左右の４方向に沿って移動させるために設けられたことを特徴としている。
【００３０】
また、請求項２５記載の発明は、請求項２４記載の携帯端末における操作メニュー切換方法に係り、上記第１の操作メニューを構成する操作項目は二次元的に配列されていることを特徴としている。
【００３１】
また、請求項２６記載の発明は、請求項１９乃至２５のいずれか１に記載の携帯端末における操作メニュー切換方法に係り、上記第２の操作メニューは、上記第１の操作メニューのなかから抽出された操作項目からなることを特徴としている。
【００３２】
また、請求項２７記載の発明は、請求項１９乃至２６のいずれか１に記載の携帯端末における操作メニュー切換方法に係り、上記第１の操作メニューは、階層構造化されて記憶され、上記第２の操作メニューは、上記第１の操作メニューのうち最下層のメニュー情報のなかから抽出されたメニュー情報であることを特徴としている。
【００３３】
また、請求項２８記載の発明は、請求項２６又は２７記載の携帯端末における操作メニュー切換方法に係り、上記第２の操作メニューの操作項目及び上記操作項目の表示位置は、ユーザ毎にカスタマイズされて選択されることを特徴としている。
【００３４】
また、請求項２９記載の発明は、請求項２８記載の携帯端末における操作メニュー切換方法に係り、ユーザの上記第１の操作手段又は上記第２の操作手段を用いた選択操作によって、上記操作項目及び上記表示位置が選択されることを特徴としている。
【００３５】
また、請求項３０記載の発明は、請求項２８記載の携帯端末における操作メニュー切換方法に係り、上記操作項目及び上記表示位置は、ユーザの上記第１の操作手段又は／及び上記第２の操作手段を用いた操作履歴情報に基づいて、決定又は変更されることを特徴としている。
【００３６】
また、請求項３１記載の発明は、請求項２０乃至３０のいずれか１に記載の携帯端末における操作メニュー切換方法に係り、上記第２の操作メニューのカーソルの最初の表示位置は、ユーザ毎に個別に選択されることを特徴としている。
【００３７】
また、請求項３２記載の発明は、請求項１９乃至３１のいずれか１に記載の携帯端末における操作メニュー切換方法に係り、上記可動結合手段は、上記第１の筐体と上記第２の筐体とのうち一方の筐体が他方の筐体に対して、第１の回動軸の周りに回動して開閉自在となるように、かつ、一方の筐体が上記第１の回動軸に直交する第２の回動軸の周りに回動自在となるように、上記第１の筐体と上記第２の筐体とを結合することを特徴としている。
【００３８】
また、請求項３３記載の発明は、請求項１９乃至３２のいずれか１に記載の携帯端末における操作メニュー切換方法に係り、上記表示制御ステップでは、上記第１の操作手段又は上記第２の操作手段を構成するメニュー表示要求のための所定のキーが押下されると、上記第１の操作メニュー又は上記第２の操作メニューを上記表示手段に表示させることを特徴としている。
【００３９】
また、請求項３４記載の発明は、請求項１９乃至３３のいずれか１に記載の携帯端末における操作メニュー切換方法に係り、上記操作項目はアイコンによって表示されることを特徴としている。
【００４０】
また、請求項３５記載の発明は、請求項１９乃至３４のいずれか１に記載の携帯端末における操作メニュー切換方法に係り、上記表示制御ステップでは、上記第１の操作手段の少なくとも一部が非露出状態のときに、複数の上記第２の操作メニューのなかから、所定の第２の操作メニューを選択して、上記表示手段に表示させることを特徴としている。
【００４１】
また、請求項３６記載の発明は、請求項１９乃至３５のいずれか１に記載の携帯端末における操作メニュー切換方法に係り、上記第２の操作メニューの上記操作項目を追加又は削除するための編集手段を備えたことを特徴としている。
【００４２】
また、請求項３７記載の発明に係る操作メニュー切換制御プログラムは、コンピュータに請求項１９乃至３６のうちいずれか１に記載の携帯端末における操作メニュー切換方法を実行させることを特徴としている。
【発明の効果】
【００４３】
この発明の構成によれば、表示制御手段が、第１の操作手段の少なくとも一部が非露出状態とされたときに、第２の操作メニューを、表示手段に切り換えて表示させ、ここで、第２の操作手段を構成する操作キーの配置状態又は／及び機能に応じて、第２の操作メニューを構成する操作項目が配列されるので、小型化に寄与しつつ、制約された条件下でも良好な操作性を保つことができる。
【発明を実施するための最良の形態】
【００４４】
表示制御手段が、第１の操作手段の少なくとも一部が非露出状態とされたときに、第２の操作メニューを、表示手段に切り換えて表示させ、ここで、第２の操作手段を構成する操作キーの配置状態又は／及び機能に応じて、第２の操作メニューを構成する操作項目が配列されることによって、小型化に寄与しつつ、制約された条件下でも良好な操作性を保つという目的を実現した。
【実施例】
【００４５】
図１は、この発明の一実施例である折畳み型携帯電話機の構成を示す斜視図であって、同折畳み型携帯電話機の主表示部を外側に向けて筐体が閉じた状態を示す図、図２は、同折畳み型携帯電話機の構成を示すブロック図、図３は、同折畳み型携帯電話機の記憶部の構成を示すブロック図、図４は、同折畳み型携帯電話機の構成を示す斜視図であって、同折畳み型携帯電話機の補助表示部を外側に向けて筐体が開いた状態を示す図、図５は、同折畳み型携帯電話機の構成を示す斜視図であって、図４に示す同補助表示部を外側に向けて筐体が開いた状態から、同折畳み型携帯電話機の上側ユニットが下側ユニットに対して正面側から見て右周りに略９０度回転させた状態を示す図、図６は、同折畳み型携帯電話機の構成を示す斜視図であって、同主表示部を外側に向けて筐体が閉じた状態を示す図、図７は、同折畳み型携帯電話機の構成を示す斜視図であって、同補助表示部を外側に向けて筐体が閉じた状態を示す図、図８は、同折畳み型携帯電話機の２軸ヒンジ部の構成を示す斜視図、図９は、同折畳み型携帯電話機のマグネットの配置状態を説明するための説明図、図１０は、同折畳み型携帯電話機の磁気センサの配置状態を説明するための説明図、
図１１乃至図１８は、同折畳み型携帯電話機の動作を説明するための説明図であって、同折畳み型携帯電話機の主表示部の画面表示例を示す図、また、図１９は、同折畳み型携帯電話機の動作を説明するための説明図であって、同折畳み型携帯電話機の上側ユニットのマグネットと下側ユニットの磁気センサとの相互的位置関係を示す図である。
【００４６】
この例の折畳み型携帯電話機（携帯端末）１は、折畳可能な筐体を備えると共に、本来の通話機能のほか、例えば電子メールの送受信やインターネットに接続してホームページの閲覧が可能なデータ通信機能を有し、図１、図４乃至図７に示すように、上側ユニット２と下側ユニット３とが、互いに開閉自在で、かつ、開閉を行うための回動軸に直交する回動軸の周りにも一方のユニットが他方のユニットに対して回動自在に２軸ヒンジ部４で相互に結合されて構成されている。
上側ユニット２は、図１、図２、図４乃至図７に示すように、折畳可能な扁平な筐体５を構成する上側筐体６に、液晶表示装置からなり例えば機能設定画面や、待受画面等が表示される主表示部７と、液晶表示装置からなり例えば文字メッセージ等が表示される補助表示部８と、受話音声を出力するスピーカからなる受話部９と、マグネット１１ａ，１１ｂとが実装されて概略構成されている。
【００４７】
下側ユニット３は、折畳可能な扁平な筐体５を構成する下側筐体１４に、当該携帯電話機本体の構成各部を制御する制御部１５と、制御部１５が実行する処理プログラムや各種データ等を記憶するための記憶部１６と、アンテナ１７を介して無線電波の送受信を行い、所定のプロトコルに従って通話やデータ通信を行うために用いられる無線通信部１８と、数字や文字の入力操作等を行うための多数の各種操作キー等からなる主操作部１９と、下側筐体１４の側面部に配設された補助操作部２１と、送話音声を入力するマイクロフォンからなる送話部２２と、磁気センサ２３ａ，２３ｂ，２３ｃ，２３ｄと、磁気センサ２３ａ，２３ｂ，２３ｃ，２３ｄからの検出信号に基づいて、開閉検知信号や回動角検知信号を生成し出力する位置検出部２４と、着信時に着信音を発生するリンガ発生部２５と、振動によって例えば着信を通知するためのバイブレータ２６が実装されて概略構成されている。
【００４８】
２軸ヒンジ部４は、図８に示すように、下側筐体１４内に収容されて下側筐体１４に内部から固定された基台板３１と、基台板３１によって回動自在に軸支されて、先端部が下側ユニット３の主操作部１９の操作面に対して垂直に突出するスライド回動軸部３２と、このスライド回動軸部３２の先端部でスライド回動軸部３２に対して直角に貫通して回動自在に軸支された開閉回動軸部３３とを有している。
開閉回動軸部３３の周りの下側筐体１４に対する上側筐体６の回動によって、上側ユニット２と下側ユニット３とが折り畳まれ、スライド回動軸部３２の周りの下側筐体１４に対する上側筐体６の回動によって、上側ユニット２の表示面と下側ユニット３の操作面とが略平行関係を保ちながら上側ユニット２が回動する。
開閉回動軸部３３の回転軸部３２を挟んで両側の各延出軸部には、コイル状のクリック板付勢ばね３４及び環状のクリック板３５が遊嵌状態で巻装され、延出軸部の先端部には、Ｌ字状のブラケット３６がその一端部３６ａで固定されている。
【００４９】
ブラケット３６の他端部３６ｂは、Ｌ字脚部が直角に屈曲されて図８中水平に延びる取付け翼部３６ｃとされている。
スライド回動軸部３２の先端部及び開閉回動軸部３３並びにブラケット３６等は、上側筐体６内に収容され、ブラケット３６が取付け翼部３６ｃに設けられた取付け孔３６ｄを用いて上側筐体６に内部から固定されている。
スライド回動軸部３２と開閉回動軸部３３とは、制限された範囲内で独立して回動が可能とされる。この例では、ストッパ等によって、スライド回動軸部３２の回動範囲を−１８０°〜＋１８０°に、開閉回動軸部３３の回動範囲を０°〜＋１８０°に規制している。
【００５０】
主表示部７は、上側筐体の内側の面に配設され例えば透過型の液晶表示装置を有してなっている。液晶表示装置は、液晶パネルと、液晶パネルに照明光を与えるバックライト装置と、液晶パネルを駆動する駆動回路とを有している。
液晶パネルは、例えばＴＦＴ（Thin Film Transistor）構造の透過型の液晶表示パネルであり、ＴＦＴと透明画素電極とが多数形成されているＴＦＴ基板と、ＴＦＴ基板と数［μm］の間隙を介して対向して固定され、着色層（カラーフィルタ）が形成された対向基板と、上記間隙に封入された液晶層と、ＴＦＴ基板、対向基板の外側に配設された一対の偏向板とを有している。
補助表示部８は、上側筐体の外側の面の中央部に配設され、例えば透過型の液晶表示パネルを有してなり、現在時刻や着信通知等の表示がなされる。
【００５１】
制御部１５は、ＣＰＵ（中央処理装置）等を有してなり、記憶部１６に記憶された各種処理プログラムを実行し、記憶部１６に確保された各種レジスタやフラグを用いて、構成各部を制御し、通信制御処理や、表示・操作制御処理等を実行する。
記憶部１６は、ＲＯＭ、ＲＡＭ等の半導体メモリ等からなり、図３に示すように、制御部１５が実行する通信制御処理プログラムや、表示・操作制御処理プログラム、ブラウザ、メーラ等の各種処理プログラム等が記憶されたプログラム記憶領域１６ａと、主操作メニュー情報Ｑａ及び補助操作メニュー情報Ｑｂを含む各機能の設定情報や、通信履歴情報、電話帳情報、文字メッセージ情報等の各種情報が記憶された情報記憶領域１６ｂとを有すると共に、この記憶部１６には、制御部１５がプログラム実行時に用いる各種レジスタやフラグが確保されている。
【００５２】
通信制御処理プログラムには、例えば、所定の電話番号に対する発呼処理等を行うための手順が記述されている。
また、表示・操作制御処理プログラムは、図３に示すように、主操作メニュー表示制御プログラムＰａ、補助操作メニュー表示制御プログラムＰｂ、補助操作メニュー編集処理プログラムＰｃ、相対姿勢検知処理プログラムＰｄ、及びメニュー切換処理プログラムＰｅを含んでいる。
また、主操作メニュー表示制御プログラムＰａには、図４に示すような開状態で、主操作部１９のメニューキーが操作されることによって、例えば、図１４に示すように、主表示部７に、主操作メニュー画面（大項目選択画面）を表示させるための手順が記述されている。
【００５３】
ここで、主操作メニュー画面のうち、メニューキー操作後に表示される大項目選択画面と中項目選択画面とでは、複数のアイコンが２次元的に配列されている。
また、補助操作メニュー表示制御プログラムＰｂには、図１に示すような主表示部７を外側に向けた閉状態で、補助操作部２１の例えばサイド決定キー２１ｃが操作されることによって、例えば、図１１に示すように、主表示部７に、補助操作メニュー画面を表示させるための手順が記述されている。
ここで、補助操作メニュー画面のうち、サイド決定キー２１ｃ操作後に表示される項目選択画面では、項目が上下に１次元的に配列されている。
なお、この例では、サイド決定キー２１ｃが１度押下されることによって、補助操作メニュー画面が表示される。
【００５４】
また、補助操作メニュー編集処理プログラムＰｃは、項目選択・追加プログラム、項目並替えプログラム、項目削除プログラムを含んでいる。
項目選択・追加プログラムは、補助操作メニューを新規に作成したり、項目を追加するために用いられ、この項目選択・追加プログラムには、主操作メニュー情報Ｑａのなかから、原則として最下層の操作メニュー画面を選択して、補助操作メニュー情報Ｑｂの一部とするための手順が記述されている。
【００５５】
ここで、追加によって補助操作メニュー画面の項目数が所定数（例えば３０）を超える場合には、最下位の項目から自動的に削除される。
また、項目並替えプログラムには、補助操作メニュー画面の各項目の順位を入れ替えるための手順が記述されている。
また、項目削除プログラムには、補助操作メニュー画面の項目のうちの所望の項目を選択して補助操作メニュー情報Ｑｂから削除するための手順が記述されている。
なお、この例では、サイド決定キー２１ｃが２度連続的に押下されることによって、「項目選択・追加」、「項目並替え」、「項目削除」を選択するための補助操作メニュー編集画面（図１２参照）が表示される。
【００５６】
また、相対姿勢検知処理プログラムＰｄには、位置検出部２４から受けた開閉検出信号や回動角検出信号に基づいて、上側ユニット２と下側ユニット３との間の相対的位置関係を検知するための手順が記述されている。
また、メニュー切換処理プログラムＰｅには、検知された上側ユニット２と下側ユニット３との間の相対的位置関係に応じて、主操作メニュー画面と補助操作メニュー画面との切換表示を行うための処理を行う手順が記述されている。
これによって、例えば、主表示部７が内面側を向き、主操作部１９が露出された開状態で、主操作部１９のメニューキーが操作されたような場合には、主表示部７に、主操作メニュー画面が表示され、主表示部７が外側を向き、主操作部１９の操作面が上側筐体６によって覆われた閉状態で、補助操作部２１のサイド決定キー２１ｃが操作されたような場合には、主表示部７に、補助操作メニュー画面が表示される。
【００５７】
また、主操作メニュー情報Ｑａは、階層構造化されて記憶部１６に記憶され、例えば、図１４に示すような大項目選択画面、及び図１５に示すような中項目選択画面では、複数のアイコンが２次元的に配列され、各操作メニュー画面で所望のアイコンや項目をカーソルキーを用いて選択することによって、下層側の操作メニュー画面が、主表示部７に表示されるように構成されている。
また、補助操作メニュー情報Ｑｂは、主操作メニュー情報Ｑａのなかから、原則として最下層の操作メニュー画面が、各機能の使用傾向（例えば、電子メール機能を中心に使用したり、通話機能中心に使用すること等）や機能の使用頻度等のユーザの個性に適合させて、複数（例えば３０画面）選択され、これらの操作メニュー画面を呼び出すための複数の項目（アイコン）を表示する図１１に示すような操作メニュー画面が、主表示部７を外側に向けた閉状態で、主表示部７に表示されるように構成されている。
ここで、操作メニュー画面の項目の順位も、ユーザの操作に基づく補助操作メニュー編集処理によって、予め設定された順位で、例えば、ユーザの使用頻度の高い順に並べられて記憶されている。
このように、補助操作メニュー情報Ｑｂは、ユーザ毎に、より高い操作性が得られるようにカスタマイズされて、記憶されている。
【００５８】
無線通信部１８は、ＲＦ回路や、変復調回路、ベースバンド処理回路等からなり、音声やデータを変調してアンテナ７を介して無線電波として送信すると共に、無線電波をアンテナ７を介して受信して音声やデータに復調し、所定のプロトコルに従って通話やデータ通信を行うために用いられる。
【００５９】
主操作部１９は、ブラウザを起動させてホームページを閲覧するためのブラウザモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、主表示部７に表示された表示画面上のカーソルを上下左右方向（４方向）へ移動させるための第１の移動方向指示キーとしてのカーソルキーと、例えば数字等を入力するためのテンキー群とを有している。
補助操作部２１は、補助操作メニュー画面上のカーソルを上方へ移動させて、上位の項目の選択を可能とするためのサイド上方操作キー２１ａと、カーソルを下方へ移動させて、下位の項目の選択を可能とするためのサイド下方操作キー２１ｂと、補助操作部２１における操作を決定するために用いられるサイド決定キー２１ｃとを有している。
【００６０】
この例では、上側筐体６内に配設されたマグネット１１ａ，１１ｂと、下側筐体１４内に配設された磁気センサ２３ａ，２３ｂ，２３ｃ，２３ｄとを用いて、上側ユニット２と下側ユニット３との相互的位置関係が検出される。
上側筐体６内には、図９に示すように、水平回転軸部３２を中心とした所定の半径の円周に沿って半円環状のマグネット１１ａが配設され、上側筐体６の先端部には、マグネット１１ｂが配設されている。
【００６１】
また、下側筐体１４内には、図１０に示すように、磁気センサ２３ａ，２３ｂ，２３ｃ，２３ｄが、受感側を主操作部１９の操作面側に向けて配設されている。
このうち、磁気センサ２３ａ，２３ｂ、２３ｄは、水平回転軸部３２を中心とした所定の半径の円周に沿って、下側筐体１４の長軸（対称軸）の両側にこの長軸と４５°の角度をなすように配設されている。また、磁気センサ２３ｄは、長軸上に配設されている。また、磁気センサ２３ｃは、下側筐体１４の先端部のマグネット１１ｂに対応した位置に配設されている。
【００６２】
次に、図１１乃至１９を参照して、上記構成の折畳み型携帯電話機１の動作について説明する。
まず、補助操作メニュー編集処理方法から述べる。
電源投入後、制御部１５は、ユーザによる入力操作や着信を待機する待受モードに入り、主表示部７には待受画面を表示させる。
この状態から、主表示部７が外側を向き、主操作部１９の操作面が上側筐体６によって覆われた閉状態とされて、補助操作部２１のサイド決定キー２１ｃが操作されると、制御部１５は、例えば、図１１に示すように、主表示部７に、補助操作メニュー画面を表示させる。これによって、補助操作メニューの項目の確認が可能となる。
ここで、制御部１５は、サイド上方操作キー２１ａが押下されると、補助操作メニュー画面上のカーソルを上方へ移動させて、上位の項目の選択を可能とし、サイド下方操作キー２１ｂが押下されると、カーソルを下方へ移動させて、下位の項目の選択を可能とする。
【００６３】
次に、上側ユニット２及び下側ユニット３がこの姿勢のまま、サイド決定キー２１ｃが２度連続的に押下されると、制御部１５は、主表示部７に、例えば、図１２に示すように、補助操作メニュー編集画面を表示させる。
ここで、「１．選択・追加」の項目にカーソルを合わされ、サイド決定キー２１ｃが押下されると、制御部１５は、図１３に示すように、主表示部７に、操作案内メッセージを表示させる。
次に、主表示部７が内面側を向き、主操作部１９が露出された開状態とされて、主操作部１９のメニューキーが押下されると、制御部１５は、図１４に示すように、主表示部７に、大項目選択画面を表示させる。
【００６４】
次に、例えば、「各種設定」のアイコンにフォーカスされ、決定キーが押下されると、制御部１５は、図１５に示すように、主表示部７に、中項目選択画面を表示させる。次に、例えば、「音／バイブレータ」のアイコンにフォーカスされ、決定キーが押下され、選択操作が繰り返えされると、制御部１５は、図１６に示すように、最下層のメニュー画面として、例えば、バイブレータ設定メニュー画面を、主表示部７に表示させる。
この状態で、サイド決定キー２１ｃが押下されると、制御部１５は、このバイブレータ設定メニュー画面を補助操作メニュー情報Ｑｂとして追加する。
【００６５】
次に、図１２に示すような補助操作メニュー編集画面が表示された状態で、「２．並替え」の項目にカーソルが合わされ、サイド決定キー２１ｃが押下されると、制御部１５は、図１７に示すように、主表示部７に、操作案内メッセージを表示させる。
ここで、再びサイド決定キー２１ｃが押下されると、制御部１５は、図１１に示すような補助操作メニュー画面を、主表示部７に再び表示させる。
次に、例えば「２．バイブレータ設定」の項目にカーソルが合わされ、サイド決定キー２１ｃが押下され、さらに最上位の「１．着信音量設定」の項目にカーソルが合わされ、サイド決定キー２１ｃが押下されると、制御部１５は、補助操作メニュー画面上の各項目を、「１．バイブレータ設定」、「２．着信音量設定」、「３．着信音選択（電話）」の順に並べ替える。
【００６６】
次に、図１２に示すような補助操作メニュー編集画面が表示された状態で、「３．削除」の項目にカーソルが合わされ、サイド決定キー２１ｃが押下されると、制御部１５は、図１８に示すように、主表示部７に、操作案内メッセージを表示させる。
ここで、再びサイド決定キー２１ｃが押下されると、制御部１５は、図１１に示すような補助操作メニュー画面を、主表示部７に再び表示させる。
次に、例えば「２．バイブレータ設定」の項目にカーソルが合わされ、サイド決定キー２１ｃが押下されると、制御部１５は、「２．バイブレータ設定」の項目を削除し、補助操作メニュー画面上の各項目を、「１．着信音量設定」、「２．着信音選択（電話）」、「３．着信音選択（メール）」の順に並べ替える。
【００６７】
次に、メニュー切換処理方法について述べる。
例えば、図４に示すように、主表示部７が内面側を向き、主操作部１９が露出された開状態とされると、図１９に示すように、マグネット１１ａは、配置位置Ｍ３に配置される。
このとき、磁気センサ２３ｃからは出力が得られず、また、磁気センサ２３ａ，２３ｂ，２３ｃ、２３ｄのいずれからも出力が得られず、開状態を示す開閉検知信号が位置検出部２４から制御部１５へ送られる。
制御部１５は、受け取った開閉検知信号に基づいて、上側ユニット２と下側ユニット３との間の相互的位置関係を認識する。
ここで、主操作部１９のメニューキーが操作された場合には、制御部１５は、主表示部７に、例えば、図１４に示すように、主操作メニュー画面を表示させる。
【００６８】
主操作メニュー画面上の項目を選択する場合には、カーソルキーを用いるが、この例では、上下方向のカーソル移動については、補助操作部２１のサイド上方操作キー２１ａ及びサイド下方操作キー２１ｂキーを用いて行うこともできる。但し、主表示部７が図１に示す状態と上下逆転するので、図４に示すような開状態であっても、制御部１５は、サイド上方操作キー２１ａによって上方に、サイド下方操作キー２１ｂによって下方に、カーソルが移動するように、主表示部７及び補助操作部２１を制御する。
【００６９】
また、例えば、図１に示すように、主表示部７が外側を向いた状態で折り畳たまれ、主操作部１９の操作面が上側筐体６によって覆われた閉状態とされると、マグネット１１ａは、配置位置Ｍ１に、マグネット１１ｂは、配置位置Ｍ４にそれぞれ配置される。
このとき、磁気センサ２３ｃから出力が得られ、閉状態を示す開閉検知信号が位置検出部２４から制御部１５へ送られる。
また、磁気センサ２３ａ，２３ｂ，２３ｄのいずれからも出力が得られ、上側ユニット２と下側ユニット３とは、ずれることなく重なった状態、すなわち、水平方向回動角が、０°となり、水平方向回動角が０°であることを示す回動角検知信号が位置検出部２４から制御部１５へ送られる。
制御部１５は、受け取った開閉検知信号及び回動角検知信号に基づいて、上側ユニット２と下側ユニット３との間の相互的位置関係を認識する。
【００７０】
ここで、補助操作部２１のサイド決定キー２１ｃが操作された場合には、制御部１５は、主表示部７に、例えば、図１１に示すように、補助操作メニュー画面を表示させる。
例えば「２．バイブレータ設定」の項目にカーソルが合わされ、サイド決定キー２１ｃが押下されると、制御部１５は、図１６に示すように、バイブレータ設定メニュー画面を、主表示部７に表示させる。
次に、例えば「１．振動パターン１」の項目にカーソルが合わされ、サイド決定キー２１ｃが押下されると、制御部１５は、バイブレータ２６を所定のパターンで振動させるための設定情報を記憶部１６に記憶させる。
これによって、バイブレータ２６は、例えば、着信時に所定のパターンで振動する。
【００７１】
なお、図５に示すように、図４に示す状態から、上側ユニット２を下側ユニット３に対して、９０°時計周りに回動させた状態では、図１９に示すように、マグネット１１ａは、配置位置Ｍ２に配置される。
このとき、磁気センサ２３ｂのみから出力が得られ、開状態を示す開閉検知信号と、水平方向回動角が９０°であることを示す回動角検知信号とが位置検出部２４から制御部１５へ送られる。
制御部１５は、受け取った開閉検知信号及び回動角検知信号に基づいて、上側ユニット２と下側ユニット３との間の相互的位置関係を認識する。
【００７２】
また、図７に示すように、主表示部７が内面側を向いた状態で折り畳たまれ、主操作部１９の操作面が上側筐体６によって覆われた閉状態とされると、マグネット１１ａは、配置位置Ｍ１に、マグネット１１ｂは、配置位置Ｍ５にそれぞれ配置される。
このとき、磁気センサ２３ｃから出力が得られず、磁気センサ２３ａ，２３ｂ，２３ｄのいずれからも出力が得られ、上側ユニット２と下側ユニット３とは、ずれることなく重なった状態、すなわち、水平方向回動角が、０°となり、水平方向回動角が０°であることを示す回動角検知信号と、閉状態を示す開閉検知信号とが位置検出部２４から制御部１５へ送られる。
制御部１５は、受け取った開閉検知信号及び回動角検知信号に基づいて、上側ユニット２と下側ユニット３との間の相互的位置関係を認識する。
【００７３】
このように、この例の構成によれば、閉状態では、筐体の側面部に配設された補助操作部の操作キーを操作して補助操作メニューの操作項目の選択を行うので、小型化に寄与することができる。
しかも、必要な補助操作メニューの操作項目を、主操作メニュー情報から抽出し、かつ、一次元的に配列されるので、上下方向にカーソルを移動させる補助操作部２１を用いる場合であっても、円滑に所望の項目（機能）選択することができる。
また、原則として最下層の操作メニュー画面を表示させるので、操作回数を低減させ、制約された条件下でも迅速に所望の項目（機能）選択することができる。
さらに、各機能の使用頻度等のユーザの個性に適合させて、予め操作メニュー画面の項目や順位を設定する（カスタマイズする）ので、一段と迅速に所望の項目（機能）選択することができる。
したがって、折り畳んでコンパクト化したために、主操作部１９の操作面が隠され、主操作部１９のカーソルキーを用いることができず、上下方向に沿ったカーソルキーの移動のみ可能な補助操作部２１を用いる場合のような、操作キーの数や機能が制約された条件下でも、主操作部１９の操作キーを用いる場合と同等に、高い操作性を保つことができる。
【００７４】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、スライド回動軸部を上側筐体の主面に対して垂直である場合について述べたが、上側筐体の主面に対して平行であっても良い。
また、補助操作メニューの最初のカーソルの表示位置を最多頻度の項目に合わせるようにしても良いし、予めユーザが操作部を介して設定しても良い。
また、ユーザの設定によらず、ユーザの操作履歴に基づいて、制御部１５が自動的に、補助操作メニューの操作項目の選定や入替え等を行うようにしても良い。
【００７５】
また、上述した実施例で述べた選択・追加方法を用いて、追加に限らず、新規に操作メニューを作成しても良い。
また、磁気センサ（ホール素子）に代えて、リードスイッチや機械的スイッチを用いるようにしても良い。
また、表示・操作制御処理の一部を専用のハードウェアを用いて行い、一部を対応するプログラムを実行して処理するようにしても良い。
【００７６】
また、補助操作部として、下側筐体の側面部に限らず上側筐体の側面部にキー群（サイドキー）を設けた場合にも適用することができる。
また、補助操作部として、筐体の側面部に設けたキー群（サイドキー）に代えて、キーボード等を接続した場合にも適用することができる。操作手段としては、マウス等のキースイッチや、ダイヤル等の回転スイッチを用いたものでも良い。
また、主操作部１９の一部が露出するように変位させた場合に、補助操作部２１のキーと、主操作部１９のキーのうち露出しているキーとを、補助操作メニューの操作のために用いるようにしても良い。
また、補助表示部８に、補助操作メニューの一部を表示させるようにしても良い。
また、補助操作メニューの項目としては、最下層の操作メニューの項目に限らず、中間層の項目を主操作メニューから抽出しても良い。
【００７７】
また、図２０及び図２１に示すように、筐体の側面部に設けた補助操作部２１Ａに加えて、折畳み型携帯電話機１Ａの例えば上側筐体６の表示部７の上方にも補助操作部２１Ｂを設けるようにしても良い。
この場合は、補助操作部２１Ｂを、補助操作メニュー画面上のカーソルを左方へ移動させる左方操作キー２１ｐと、カーソルを右方へ移動させる右方操作キー２１ｑと、補助操作部２１Ｂにおける操作を決定するために用いられる決定キー２１ｒとから構成し、補助操作メニューの操作項目を選択するために用いるようにする。
ここで、補助操作メニューの操作項目は、横方向に沿って一次元的に並べても良いし、二次元的に並べて補助操作部２１Ｂを併用するようにしても良い。
【産業上の利用可能性】
【００７８】
携帯端末としては、携帯電話機のほか、簡易型携帯電話（ＰＨＳ）端末や、携帯情報端末（ＰＤＡ）、携帯型のコンピュータを用いる場合に適用できる。また、折畳み型の携帯端末のほか、縮退状態で操作部が収納され表示部の表示画面が視認可能なスライド式の携帯端末に適用できる。
【図面の簡単な説明】
【００７９】
【図１】この発明の一実施例である折畳み型携帯電話機の構成を示す斜視図であって、同折畳み型携帯電話機の主表示部を外側に向けて筐体が閉じた状態を示す図である。
【図２】同折畳み型携帯電話機の構成を示すブロック図である。
【図３】同折畳み型携帯電話機の記憶部の構成を示すブロック図である。
【図４】同折畳み型携帯電話機の構成を示す斜視図であって、同折畳み型携帯電話機の補助表示部を外側に向けて筐体が開いた状態を示す図である。
【図５】同折畳み型携帯電話機の構成を示す斜視図であって、図４に示す同補助表示部を外側に向けて筐体が開いた状態から、同折畳み型携帯電話機の上側ユニットが下側ユニットに対して正面側から見て右周りに略９０度回転させた状態を示す図である。
【図６】同折畳み型携帯電話機の構成を示す斜視図であって、同主表示部を外側に向けて筐体が閉じた状態を示す図である。
【図７】同折畳み型携帯電話機の構成を示す斜視図であって、同補助表示部を外側に向けて筐体が閉じた状態を示す図である。
【図８】同折畳み型携帯電話機の２軸ヒンジ部の構成を示す斜視図である。
【図９】同折畳み型携帯電話機のマグネットの配置状態を説明するための説明図である。
【図１０】同折畳み型携帯電話機の磁気センサの配置状態を説明するための説明図である。
【図１１】同折畳み型携帯電話機の動作を説明するための説明図であって、同折畳み型携帯電話機の主表示部の画面表示例を示す図である。
【図１２】同折畳み型携帯電話機の動作を説明するための説明図であって、同折畳み型携帯電話機の主表示部の画面表示例を示す図である。
【図１３】同折畳み型携帯電話機の動作を説明するための説明図であって、同折畳み型携帯電話機の主表示部の画面表示例を示す図である。
【図１４】同折畳み型携帯電話機の動作を説明するための説明図であって、同折畳み型携帯電話機の主表示部の画面表示例を示す図である。
【図１５】同折畳み型携帯電話機の動作を説明するための説明図であって、同折畳み型携帯電話機の主表示部の画面表示例を示す図である。
【図１６】同折畳み型携帯電話機の動作を説明するための説明図であって、同折畳み型携帯電話機の主表示部の画面表示例を示す図である。
【図１７】同折畳み型携帯電話機の動作を説明するための説明図であって、同折畳み型携帯電話機の主表示部の画面表示例を示す図である。
【図１８】同折畳み型携帯電話機の動作を説明するための説明図であって、同折畳み型携帯電話機の主表示部の画面表示例を示す図である。
【図１９】同折畳み型携帯電話機の動作を説明するための説明図であって、同折畳み型携帯電話機の上側ユニットのマグネットと下側ユニットの磁気センサとの相互的位置関係を示す図である。
【図２０】この発明の一実施例の変形例である折畳み型携帯電話機の構成を示す斜視図であって、同折畳み型携帯電話機の主表示部を外側に向けて筐体が閉じた状態を示す図である。
【図２１】同折畳み型携帯電話機の構成を示す斜視図であって、同折畳み型携帯電話機の補助表示部を外側に向けて筐体が開いた状態を示す図である。
【符号の説明】
【００８０】
１，１Ａ      折畳み型携帯電話機（携帯端末）
２      上側ユニット
３      下側ユニット
４      ２軸ヒンジ部（可動結合手段）
５      筐体
６      上側筐体（第１の筐体）
７      主表示部（表示手段）
８      補助表示部
１４      下側筐体（第２の筐体）
１５      制御部（表示制御手段、編集手段）
１６      記憶部（メニュー情報記憶手段）
１９      主操作部（第１の操作手段）
２１，２１Ａ，２１Ｂ      補助操作部（第２の操作手段）
２１ａ      サイド上方操作キー（第２の移動方向指示キー）
２１ｂ      サイド下方操作キー（第２の移動方向指示キー）
【図１】
2005260284.tif 000003
【図２】
2005260284.tif 000004
【図３】
2005260284.tif 000005
【図４】
2005260284.tif 000006
【図５】
2005260284.tif 000007
【図６】
2005260284.tif 000008
【図７】
2005260284.tif 000009
【図８】
2005260284.tif 000010
【図９】
2005260284.tif 000011
【図１０】
2005260284.tif 000012
【図１１】
2005260284.tif 000013
【図１２】
2005260284.tif 000014
【図１３】
2005260284.tif 000015
【図１４】
2005260284.tif 000016
【図１５】
2005260284.tif 000017
【図１６】
2005260284.tif 000018
【図１７】
2005260284.tif 000019
【図１８】
2005260284.tif 000020
【図１９】
2005260284.tif 000021
【図２０】
2005260284.tif 000022
【図２１】
2005260284.tif 000023